(57)【要約】【課題】円滑にスライドして携帯電子機器の開閉動作を行うことができる携帯電子機器を提供する。【解決手段】被ガイド機構２７は、ガイド溝部２１内に挿入され、第１筐体２の位置する方向に移動可能な移動部材を有し、ガイド溝部２１は、前記両筐体の摺動方向での一端側の第１の溝部分３８と他端側の第２の溝部分３６の深さが、前記各溝部分の中間の溝部分３７よりも深く形成されている。【選択図】図５
2011035462.tif 000002
【特許請求の範囲】
【請求項１】
ガイド溝部が形成された第１の筐体と、
前記第１の筐体に対して摺動可能であり、前記第１の筐体の前記ガイド溝部が形成された面と対向した面に被ガイド機構が形成されている第２の筐体と、を有し、
前記被ガイド機構は、
前記ガイド溝部内に挿入され、前記第１の筐体の位置する方向に移動可能な移動部材を有し、
前記ガイド溝部は、前記両筐体の摺動方向での一端側の第１の溝部分と他端側の第２の溝部分の深さが、前記各溝部分の中間の溝部分よりも深く形成されている
携帯電子機器。
【請求項２】
前記ガイド溝部は、前記摺動方向における断面形状が、少なくとも傾斜方向が異なる２つの傾斜部を有して構成されている
請求項１に記載の携帯電子機器。
【請求項３】
前記ガイド溝部は、前記摺動方向に対して角度が大な傾斜の急傾斜溝部と前記摺動方向に対して角度が小な傾斜の緩傾斜溝部を有しており、
前記急傾斜溝部は、前記緩傾斜溝部よりも、前記ガイド溝部の両端側に形成されている
請求項２に記載の携帯電子機器。
【請求項４】
前記ガイド溝部は、前記摺動方向における断面形状が、曲線から形成されて構成されている
請求項１に記載の携帯電子機器。
【請求項５】
前記ガイド溝部は、曲線の変化割合が急な急変化溝部と曲線の変化割合が緩い緩変化溝部を有しており、
前記急変化溝部は、前記緩変化溝部よりも、前記ガイド溝部の両端側に形成されている
請求項４に記載の携帯電子機器。
【請求項６】
前記ガイド溝部は、前記一端側の第１の溝部分と前記他端側の第２の溝部分よりも浅く形成されている中間の溝部分の最も浅い最浅部分は、前記一端側の第１の溝部分又は他端側の第２の溝部分よりもどちらか一方に偏って配置されている
請求項１〜５いずれか１項に記載の携帯電子機器。
【請求項７】
前記ガイド溝部の前記第１の筐体をスライドさせて開状態とする方向には、上側穴が配設されており、
前記上側穴の位置とは反対方向には下側穴が配設されており、
前記上側穴及び前記下側穴は、前記ガイド溝部の深さよりも深く形成されている
請求項１〜６いずれか１項に記載の携帯電子機器。
【請求項８】
前記ガイド溝部には、中間穴が形成されている
請求項１〜７いずれか１項に記載の携帯電子機器。
【請求項９】
少なくとも前記上側穴又は前記下側穴にはスイッチが配設されており、
当該スイッチによって、前記第１の筐体と第２の筐体が開位置又は閉位置にあることを検出する
請求項７又は８に記載の携帯電子機器。
【請求項１０】
前記被ガイド機構は、
回転自在な回転体と、
前記第２の筐体に有底に形成された穴形状の支持部スライド穴部と、
前記回転体を回転可能に支持し、かつ、前記支持部スライド穴部に挿入されていることによって前記第１の筐体の位置する方向に往復運動可能な回転体支持部と、
前記回転体支持部を、前記第１の筐体の位置する方向に付勢する弾性体と、を有する
請求項１〜９いずれか１項に記載の携帯電子機器。
【請求項１１】
前記回転体は、円柱形状である
請求項１０に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、スライド式の携帯電子機器において、第１の筐体と第２の筐体とスライド移動した場合に、付勢されたボールを平面状のガイド溝部内でスライドさせる構造が開示されている。
【先行技術文献】
【特許文献】
【０００３】
【特許文献１】特開２００７―２４３５４１号公報
【発明の概要】
【発明が解決しようとする課題】
【０００４】
しかしながら、特許文献１に記載の方法においては、筐体をスライドさせる際に所定の位置まで確実に、第１筐体をスライドさせ続ける必要がある。
【０００５】
本発明の目的は、円滑にスライドして携帯電子機器の開閉動作を行うことができる携帯電子機器を提供することである。
【課題を解決するための手段】
【０００６】
本発明の携帯電子機器は、ガイド溝部が形成された第１の筐体と、前記第１の筐体に対して摺動可能であり、前記第１の筐体の前記ガイド溝部が形成された面と対向した面に被ガイド機構が形成されている第２の筐体と、を有し、前記被ガイド機構は、前記ガイド溝部内に挿入され、前記第１の筐体の位置する方向に移動可能な移動部材を有し、前記ガイド溝部は、前記両筐体の摺動方向での一端側の第１の溝部分と他端側の第２の溝部分の深さが、前記各溝部分の中間の溝部分よりも深く形成されている。
【０００７】
好適には、前記ガイド溝部は、前記摺動方向における断面形状が、少なくとも傾斜方向が異なる２つの傾斜部を有して構成されている。
【０００８】
好適には、前記ガイド溝部は、前記摺動方向に対して角度が大な傾斜の急傾斜溝部と前記摺動方向に対して角度が小な傾斜の緩傾斜溝部を有しており、前記急傾斜溝部は、前記緩傾斜溝部よりも、前記ガイド溝部の両端側に形成されている。
【０００９】
好適には、前記ガイド溝部は、前記摺動方向における断面形状が、曲線から形成されて構成されている。
【００１０】
好適には、前記ガイド溝部は、曲線の変化割合が急な急変化溝部と曲線の変化割合が緩い緩変化溝部を有しており、前記急変化溝部は、前記緩変化溝部よりも、前記ガイド溝部の両端側に形成されている。
【００１１】
好適には、前記ガイド溝部は前記ガイド溝部は、前記一端側の第１の溝部分と前記他端側の第２の溝部分よりも浅く形成されている中間の溝部分の最も浅い最浅部分は、前記一端側の第１の溝部分又は他端側の第２の溝部分よりもどちらか一方に偏って配置されている。
【００１２】
好適には、前記ガイド溝部の前記第１の筐体をスライドさせて開状態とする方向には、上側穴が配設されており、前記上側穴の位置とは反対方向には下側穴が配設されており、前記上側穴及び前記下側穴は、前記ガイド溝部の深さよりも深く形成されている。
【００１３】
好適には、前記ガイド溝部には、中間穴が形成されている。
【００１４】
好適には、少なくとも前記上側穴又は前記下側穴にはスイッチが配設されており、当該スイッチによって、前記第１の筐体と第２の筐体が開位置又は閉位置にあることを検出する。
【００１５】
好適には、前記被ガイド機構は、回転自在な回転体と、前記第２の筐体に有底に形成された穴形状の支持部スライド穴部と、前記回転体を回転可能に支持し、かつ、前記支持部スライド穴部に挿入されていることによって前記第１の筐体の位置する方向に往復運動可能な回転体支持部と、前記回転体支持部を、前記第１の筐体の位置する方向に付勢する弾性体と、を有する。
【００１６】
好適には、前記回転体は、円柱形状である。
【発明の効果】
【００１７】
本発明によると、円滑にスライドして携帯電子機器の開閉動作を行うことができる携帯電子機器を提供することができる。
【図面の簡単な説明】
【００１８】
【図１】本発明の実施形態に係る携帯電話機の外観を閉状態で示す斜視図である。
【図２】携帯電話機の外観を開状態で示す斜視図である。
【図３】開状態における、表面方向の位置から見た携帯電話機の正面図である。
【図４】開状態における、裏面方向の位置から見た携帯電話機の裏面図である。
【図５】図１のＶ−Ｖにおける断面図である。
【図６】開動作の説明図である。
【図７】本発明の第１及び第２の変形例の説明図である。
【図８】第３の変形例の説明図である。
【図９】第４の変形例の説明図である。
【図１０】第５の変形例の説明図である。
【発明を実施するための形態】
【００１９】
図１は、本発明の実施形態に係る携帯電話機１の外観を閉状態で示す斜視図である。
【００２０】
携帯電話機１は、スライド式の携帯電話機１として構成されている。
つまり、第１筐体２を図１中の矢印の方向に移動させることによってスライドさせて開状態としている。
第１筐体２と第２筐体３は、図１の矢印の方向に相対移動することは可能であるが、その他の方向に相対運動させることはできない。
つまり、一方方向にのみ第１筐体２と第２筐体３とは摺動しつつ往復運動のみが可能である。
なお、第１筐体２と第２筐体３とをスライドさせる機構は、例えば、直動ベアリング等による。
第１筐体２及び第２筐体３は直方体形状を有している。また、第１筐体２と第２筐体３とが接合する面が縦横の長さが長く、その他の面の幅は狭く構成されている。つまり、高さの低い四角柱形状となっている。
さらに、図１のように、第１筐体２及び第２筐体３の縦横の比率は縦の方が２倍程度で形成されている。
【００２１】
図２は、携帯電話機１の外観を開状態で示す斜視図である。
【００２２】
図２のように、第１筐体２をスライドさせると、第１筐体２の下部分と第２筐体３の上部分のみが密接した状態になる。
図２のように、第１筐体２の表面部分（第２筐体３と接合している側とは反対の面）には表示部８が配置されている。
この表示部８が配置されている第１筐体２の面を第１筐体表面１７といい、反対側の第１筐体２の面を第１筐体裏面１８という。
また、第１筐体２をスライドして開状態にする方向側の面を第１筐体上側面１６といい、その反対側を第１筐体下側面１５という。
【００２３】
図２のように、第２筐体３の表面部分（第１筐体３と接合している側の面）には入力部１０が配置されている。
この入力部１０が配置されている第２筐体３の面を第２筐体表面１３といい、反対側の第２筐体３の面を第２筐体裏面１４という。
また、第１筐体２をスライドして開状態にする方向側の面を第２筐体上側面１１といい、その反対側を第２筐体下側面１２という。
【００２４】
第１筐体２の第１筐体裏面１８と第２筐体３の第２筐体表面１３とが接している。閉状態においては、第１筐体裏面１８と第２筐体表面１３とは、面全体が対向状態となっており、携帯電話機１の外部からこの面を確認することはできない。
開状態においては、第１筐体裏面１８の第１筐体下側面１５側の一部の面と、第２筐体表面１３の第２筐体上側面１１側の一部の面とが対向状態である。その結果、第１筐体裏面１８と第２筐体表面１３とが対向していない部分の面は、ユーザが確認及び操作することができる。
この開状態とした時に外部に現れる第２筐体表面１３に入力部１０が配置されている。
【００２５】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２６】
この入力部１０は、キー等で構成されており、このキー等をユーザが操作することによって、携帯電話機１に命令の入力、文字の入力等がなされる。
【００２７】
なお、方向を示すときは、第２筐体３から第１筐体２の方向を表面方向又は第１筐体の位置する方向という。また、表面方向の逆を裏面方向という。
また、第２筐体下側面１２から第２筐体上側面１１への方向を、第１筐体２を第２筐体３に対して相対的にスライドして開状態とする方向という。
また、第１筐体２と第２筐体３とがスライドする方向を摺動方向という。
【００２８】
図３は、開状態における、表面方向の位置から見た携帯電話機１の正面図である。
【００２９】
開状態の携帯電話機１を表面方向から見ると、図３（ａ）の様に見える。
そして、この携帯電話機１の第１筐体２と第２筐体３とを分離したそれぞれの図が図３（ａ）及び図３（ｃ）である。
【００３０】
図３（ｂ）のように、第２筐体３の第２筐体表面１３には移動部材としてのボール２０（回転体）が配置されている。
より詳しく説明すると、第２筐体表面１３の第２筐体上側面１１側であって、第２筐体表面１３のスライド方向の中心軸上にボール２０は配置されている。
また、このボール２０が配置されている位置は、図３（ａ）からも分かるように、携帯電話機１が開状態であっても第１筐体２と対向している位置に配置されている。
【００３１】
図４は、開状態における、裏面方向の位置から見た携帯電話機１の裏面図である。
【００３２】
図４は、図３の各図を裏面方向から見た時の図である。
図４（ａ）のように、第１筐体２の第１筐体裏面１８には、ガイド溝部２１が形成されている。
このガイド溝部２１は、第１筐体２を第２筐体３に対して相対的にスライドして開状態とする方向に伸びた溝である。
このガイド溝部２１内に図３のボール２０が挿入される。
【００３３】
図４（ｃ）のように、スライドして開状態とする方向側のガイド溝部２１の先位置には、上側穴２２が配設される。
また、スライドして開状態とする方向側のガイド溝部２１の先位置には、上側穴２２が配設される。
【００３４】
図５は、図１のＶ−Ｖにおける断面図である。
【００３５】
図５のように、第１筐体２には、下側穴２３、ガイド溝部２１及び上側穴２２がスライドして開状態とする方向に順に形成されている。
ガイド溝部２１は、下側穴２３に近い部分である後端寄りの第２の溝部分３６、上側穴２２に近い部分である先端寄りの第１の溝部分３８、及び、後端寄りの第２の溝部分３６と先端寄りの第１の溝部分３８にある中間の溝部分３７が形成されている。
つまり、第１筐体２には、下側穴２３、後端寄りの第２の溝部分３６、中間の溝部分３７、先端寄りの第１の溝部分３８及び上側穴２２が、スライドして開状態とする方向に順に形成されている。
スライドして開状態となる方向における、先端寄りの第１の溝部分３８の先の位置には、上側穴２２が形成されている。
また、スライドして閉状態となる方向における、後端寄りの第２の溝部分３６の先の位置には、下側穴２３が形成されている。
下側穴２３及び上側穴２２は、ガイド溝部２１よりも深く形成されている。また、図５のように、断面形状が円又は楕円形状となっている。
【００３６】
ガイド溝部２１は、図５の様に、後端寄りの第２の溝部分３６及び先端寄りの第１の溝部分３８よりも、中間の溝部分３７が第２筐体３側に張り出した構成となっている。この張出し形状は後述するように様々なバリエーションが考えられる。
つまり、溝の深さで説明すると、後端寄りの第２の溝部分３６及び先端寄りの第１の溝部分３８よりも中間の溝部分３７は溝が浅く形成されていることになる。
また、中間の溝部分３７のうち、最も第２筐体３側に張出している（最も溝が浅い）部分を、特に、最浅部分３９という。
【００３７】
上側穴２２、ガイド溝部２１及び下側穴２３は、被ガイド機構２７のボール２０が挿入される。そして、第１筐体２と第２筐体３とが相対的にスライド移動するに従って、このガイド溝部２１内をボール２０が回転しつつ移動する。
【００３８】
被ガイド機構２７は、支持部スライド穴部２５、ばね２６、ボール支持部２４及びボール２０から構成される。
ボール支持部２４はボール２０を回転自在に保持（支持）している。
ボール支持部２４は円筒または角柱形状に形成されており、支持部スライド穴部２５に挿入されている。
この支持部スライド穴部２５内をボール支持部２４は摺動する。
ボール支持部２４は、第１筐体２の方向に形成されている。その結果、ボール支持部２４は、第１筐体２の方向に往復運動可能である。
また、ボール支持部２４の第２筐体３側にはばね２６が配置されており、ボール支持部２４を第１筐体２側に押しつけている。
【００３９】
ここで、ボール２０は潤滑性を有するために、潤滑性樹脂によって構成することも可能である。潤滑性樹脂の具体例としてはＰＯＭ（ポリアセタール）などが考えられる。
また、ガイド溝部２１を潤滑性とすることもできる。例えば、フッ素樹脂加工等することも考えられる。
【００４０】
以上の実施例ではボール２０を用いたが、球形状のボール２０である必要は必ずしもない。
たとえば、ボール２０が用いられる回転体として円柱であってもよい。
円柱とした場合の利点は、ガイド溝部２１の一点に応力が集中しないことである。このように、一点に応力が集中しないことによって、多数回開閉動作が行われる携帯電話機１においては、回転体又はガイド溝部２１への負担が少なくなるという利点がある。
【００４１】
図６は、開動作の説明図である。
【００４２】
図６（ａ）は、携帯電話機１が閉状態における図１のＶ―Ｖの断面図である。
この図６（ａ）の閉状態においては、ボール２０は上側穴２２内に収納されている。
このように、上側穴２２はガイド溝部２１の先端寄りの第１の溝部分３８よりも深く、かつ、断面形状が半円形状に構成されている。その結果、ボール２０が、一度、上側穴２２内に入った状態（閉状態）となった後に、この状態から開状態へのスライド移動を始める場合には、多くの力が最初に必要となる。
このような形状を上側穴２２が有することによって、僅かな外力によって閉状態を維持することができなくなることを防いでいる。なお、下側穴２３においても同様である。
【００４３】
ボール２０が上側穴２２を超えられるほどの外力が加わると、ボール２０及びボール支持部２４は第２筐体３側に移動する。つまり、ばね２６が圧縮される。
さらに、このばね２６の力による閉状態に戻ろうとする力に打ち勝って、先端寄りの第１の溝部分３８、中間の溝部分３７を通って、ボール２０が最浅部分３９を通過するまで外力を加え続ける（図６（ｂ）の状態）。
そして、最浅部分３９を通過すると今度はばね２６の力は、開状態にする方向に働くのであるから、あとは、外力を加えなくても自動的に開状態（図６（ｃ）の状態）となる。
なお、上記説明においてはボール２０が動くかのように説明したが、実際に動くのは第１筐体２である。
この動きは、開状態から閉状態になる場合にも同様である。
【００４４】
このように、一定程度外力を加えて動かした後は自動的に閉状態又は開状態となることによって、ユーザは円滑に開状態から閉状態又は閉状態から開状態に携帯電話機１を移行させることができる。
また、ユーザの操作感も増す。
さらに、従来例では開状態又は閉状態の途中状態で止まってしまうということがあったが、本実施形態においては開状態又は閉状態の途中状態に留まってしまうようなことはない。
また、本実施形態はガイド溝部２１及び被ガイド機構２７の様に極めて簡便な機構によって、スムーズな開閉を行うことができる。
さらに、このように簡便な機構によってスムーズな開閉動作を行うことができるのであるから、機構設計上の自由度が増すという効果がある。
【００４５】
＜第１の変形例＞
図７は、本発明の第１及び第２の変形例の説明図である。
【００４６】
図７（ａ）は、以上で説明してきたガイド溝部２１の形状である。この様なガイド溝部２１を図７（ｂ）の様に変形する。
図７（ｂ）が図７（ａ）と異なる点はガイド溝部２１の断面形状が直線ではなく曲線で形成されている点である。
この様に曲線形状としたことの利点は、最浅部分３９において、急激な変動を生じさせないことである。
【００４７】
＜第２の変形例＞
図７（ｃ）では、ガイド溝部２１の途中部分に中間穴４０が形成される点である。
このように途中に中間穴４０が形成されることによって、開状態と閉状態の間に中間的な状態を作り出すことが可能となる。
なお、中間穴４０はガイド溝部２１の途中に形成するのであれば、必要性に応じてどのような位置に形成してもよい。
【００４８】
＜第３の変形例＞
図７で説明した例は、後端寄りの第２の溝部分３６及び先端寄りの第１の溝部分３８と中間の溝部分３７とで、勾配（傾斜）が異なるものではなかった。
しかし、人間の筋肉の出力は動き始めに一番大きな力を出し、動く距離が大きくなるほど出力が小さくなるという傾向がある。
そのため、動き始めの最初の部分において大きな出力を必要とし、そして、ある程度動いた後には出力が小さくても済むようにするのが操作性の点で都合がよい。
そこで、後端寄りの第２の溝部分３６及び先端寄りの第１の溝部分３８の勾配（傾斜）を大きくして、ユーザが加える力が大きくなるようにする。そして、中間の溝部分３７の勾配（傾斜）を小さく取ることが望ましい。
【００４９】
図８は、第３の変形例の説明図である。
【００５０】
図８（ａ）は、ガイド溝部２１の断面形状は複数の直線で構成されており、急傾斜溝部３０は、緩傾斜溝部３１よりも下側穴２３及び上側穴２２側に配置される。
図８（ｂ）は、ガイド溝部２１の断面形状は複数の曲線で構成されており、急変化溝部３２の曲線の曲率半径の変化率は、緩変化溝部３３の曲線の曲率半径の変化率よりも大きく形成されている。
以上の様に構成したことによって、最初に多くの力を必要とし、その後にはそれほど大きな力が必要とされないスライド機構を構成することができる。
これによって、ユーザの操作性が増すという効果がある。
なお、以上の分割された直線及び曲線の数は任意に選ぶことができる。
【００５１】
＜第４の変形例＞
図９は、第４の変形例の説明図である。
【００５２】
以上の実施形態及び変形例では、下側穴２３の側に形成される下側穴側溝３４の長さと、上側穴２２の側に形成される上側穴側溝３５の長さとは同一であり、最浅部分３９は下側穴２３と上側穴２２との中間に存在していた。
しかし、特に一定の方向に空けるときには少し動かしただけで、後は自動で動く方が良いという場合もある。
そこで、図９のように最浅部分３９の位置を下側穴２３側又は上側穴２２側に変位させて構成することができる。
これによって、自動で動く範囲を任意に決定することができる。
【００５３】
＜第５の変形例＞
図１０は、第５の変形例の説明図である。
【００５４】
図１０の様に、下側穴２３側又は上側穴２２にスイッチ４１を形成し、このスイッチ４１のＯＮ／ＯＦＦを検出することによって、携帯電話機１の開状態及び閉状態を検出することができる。
【００５５】
さらに、ボール２０内部に磁石を備えさせ、さらに、前述したスイッチ４１にホール素子を備えさせることによって、携帯電話機１の開状態及び閉状態を検出することができる。
【００５６】
以上の実施形態によれば、携帯電話機１は、ガイド溝部２１が形成された第１筐体２と、第１筐体２に対して摺動可能であり、第１筐体２のガイド溝部２１が形成された面と対向した面に被ガイド機構２７が形成されている第２筐体３と、を有している。
また、被ガイド機構２７は、ガイド溝部２１内に挿入され、第１筐体２の位置する方向に移動可能な移動部材を有している。
そして、ガイド溝部２１は、前記両筐体の摺動方向での一端側の第１の溝部分３８と他端側の第２の溝部分３６の深さが、前記各溝部分の中間の溝部分３７よりも深く形成されている。
このような構成としたことによって、一定程度外力を加えて動かした後は自動的に閉状態又は開状態となる。そして、このことによって、ユーザは円滑に開状態から閉状態又は閉状態から開状態に携帯電話機１を移行させることができる。
また、ユーザの操作感も増す。
さらに、従来例では開状態又は閉状態の途中状態で止まってしまうということがあったが、本実施形態においては開状態又は閉状態の途中状態に止まってしまうようなことはない。
また、本実施形態はガイド溝部２１及び被ガイド機構２７の様に極めて簡便な機構によって、スムーズな開閉を行うことができる。
さらに、このように簡便な機構によってスムーズな開閉動作を行うことができるのであるから、機構設計上の自由度が増すという効果がある。
【００５７】
ガイド溝部２１は、摺動方向における断面形状は、少なくとも２つの傾斜部を有し、少なくとも傾斜方向が異なる２つの傾斜部を有して構成されている。
このような構成としたことによって、ガイド溝部２１を容易に作製することができる。
【００５８】
ガイド溝部２１は、摺動方向に対して角度が大な傾斜の急傾斜溝部３０と、摺動方向に対して角度が小な傾斜の緩傾斜溝部３１を有している。
そして、急傾斜溝部３０は、緩傾斜溝部３１よりも、ガイド溝部２１の両端側に形成されている。
このように構成したことによって、最初に多くの力を必要とし、その後にはそれほど大きな力がいらないというスライド機構を構成することができる。
これによって、ユーザの操作性が増すという効果がある。
【００５９】
ガイド溝部２１は、前記摺動方向における断面形状が、曲線から形成されて構成されている。
このような構成によって、最浅部分３９において、急激な外力が必要な状態から自動で動く領域への変化を生じさせずにすむ。
このことは、ユーザの操作性が増すという効果がある。
【００６０】
ガイド溝部２１は、曲線の変化割合が急な急変化溝部３２と曲線の変化割合が緩い緩変化溝部３３を有しており、急変化溝部３２は、緩変化溝部３３よりも、ガイド溝部２１の両端側に形成されている。
このように構成したことによって、最初に多くの力を必要とし、その後にはそれほど大きな力がいらないというスライド機構を構成することができる。
これによって、ユーザの操作性が増すという効果がある。
また、最浅部分３９において、急激な外力が必要な状態から自動で動く領域への変化を生じさせずにすむという効果もある。
【００６１】
ガイド溝部２１は、一端側の第１の溝部分３８と他端側の第２の溝部分３６よりも浅く形成されている中間の溝部分３７の最も浅い最浅部分３９は、一端側の第１の溝部分３８又は他端側の第２の溝部分３６よりもどちらか一方に偏って配置されている。
特に一定の方向に空けるときには少し動かしただけで、後は自動で動く方が良いという場合に対応できる。
【００６２】
ガイド溝部２１の第１筐体２をスライドさせて開状態とする方向には、上側穴２２が配設されており、上側穴２２の位置とは反対方向には下側穴２３が配設されており、上側穴２２及び下側穴２３は、ガイド溝部２１の深さよりも深く形成されている。
このような構成としたことによって、ボール２０が、一度、上側穴２２内に入った状態（閉状態）となった後に、この状態から開状態へのスライド移動を始める場合には、多くの力が最初に必要となる。
このような形状を上側穴２２が有することによって、僅かな外力によって閉状態を維持することができなくなることを防いでいる。なお、下側穴２３においても同様である。
【００６３】
ガイド溝部２１には、中間穴４０が形成されている。
このように構成することによって、開状態と閉状態の間に中間的な状態を作り出すことが可能となる。
【００６４】
少なくとも上側穴２２又は下側穴２３にはスイッチ４１が配設されており、当該スイッチ４１によって、第１筐体２と第２筐体３が開位置又は閉位置にあることを検出する。
このように構成することによって、簡便な手段で携帯電話機１の開状態及び閉状態を検出することができる。
【００６５】
被ガイド機構２７は、回転自在なボール２０と、第２筐体３に有底に形成された穴形状の支持部スライド穴部２５とを有する。
また、ボール２０を回転可能に支持し、かつ、支持部スライド穴部２５に挿入されていることによって第１筐体２の位置する方向に往復運動可能なボール支持部２４とを有する。
そして、ボール支持部２４を、第１筐体２の位置する方向に付勢する弾性体２６と、を有する。
このように構成することによって、簡易な手段によって被ガイド機構２７を作成することができる。
【００６６】
回転体は、円柱形状である。
この様な構成としたことによって、ガイド溝部２１の一点に応力が集中しない。
そして、一点に応力が集中しないことによって、多数回開閉動作が行われる携帯電話機１においては、回転体又はガイド溝部２１への負担が少ないという利点がある。
【００６７】
なお、以上の実施形態において、ボール２０は、回転体の一例であり、ボール支持部２４は回転体支持部の一例であり、ばね２６は弾性体の一例である。
また、本発明において、ガイド溝部２１とは、上側穴２２及び下側穴２３とは別のボール２０をガイドする部分のみをいう。
つまり、ガイド溝部２１は、先端寄りの第１の溝部分３８に形成される上側穴２２及び後端寄りの第２の溝部分３６に形成される下側穴２３を含まないものである。
【００６８】
本発明は、以上の実施形態に限定されず、種々の態様で実施されてよい。
【００６９】
携帯電子機器は、携帯電話機１に限定されない。例えば、携帯電子機器は、ノートパソコン、ＰＤＡ、ゲーム機、カメラであってもよい。
【符号の説明】
【００７０】
１…携帯電話機、２…第１筐体（第１の筐体）、３…第２筐体（第２の筐体）、８…表示部、１０…入力部、１１…第２筐体上側面、１２…第２筐体下側面、１３…第２筐体表面、１４…第２筐体裏面、１５…第１筐体下側面、１６…第１筐体上側面、１７…第１筐体表面、１８…第１筐体裏面、２０…ボール（回転体）、２１…ガイド溝部、２２…上側穴、２３…下側穴、２４…ボール支持部（回転体支持部）、２５…支持部スライド穴部、２６…ばね（弾性体）、２７…被ガイド機構、３０…急傾斜溝部、３１…緩傾斜溝部、３２…急変化溝部、３３…緩変化溝部、３４…下側穴側溝、３５…上側穴側溝、３６…第２の溝部分、３７…中間の溝部分、３８…第１の溝部分、３９…最浅部分、４０…中間穴、４１…スイッチ
【図１】
2011035462.tif 000003
【図２】
2011035462.tif 000004
【図３】
2011035462.tif 000005
【図４】
2011035462.tif 000006
【図５】
2011035462.tif 000007
【図６】
2011035462.tif 000008
【図７】
2011035462.tif 000009
【図８】
2011035462.tif 000010
【図９】
2011035462.tif 000011
【図１０】
2011035462.tif 000012